(57)【要約】      （修正有）【課題】塗料をより細断化して高品質の塗装ができるスプレーガンを提供する。【解決手段】溶液ポットと連通して溶液が充満している溶液流路５の先端に溶液噴射ノズル６を形成し、その外周に円筒形をした高圧空気噴射ノズル１７を形成するとともに、溶液通路５の傍に高圧空気を高圧空気噴射ノズル１７に導く空気流路１４を設け、高圧空気を高圧空気噴射ノズル１７から噴射して溶液流路５の溶液を溶液噴射ノズル６から吸引して噴射するスプレーガンにおいて、高圧空気噴射ノズル１７を形成する空気溜まり１５に高圧空気を供給する複数の空気通路１４を形成し、この空気通路１４を各々でその口径を変える。【選択図】図２
2014042903.tif 000002
【特許請求の範囲】
【請求項１】
溶液ポットと連通して溶液が充満している溶液流路の先端に溶液噴射ノズルを形成し、その外周に円筒形をした高圧空気噴射ノズルを形成するとともに、溶液通路の傍に高圧空気を高圧空気噴射ノズルに導く空気流路を設け、高圧空気を高圧空気噴射ノズルから噴射して溶液流路の溶液を溶液噴射ノズルから吸引して噴射するスプレーガンにおいて、高圧空気噴射ノズルを形成する空気溜まりに高圧空気を供給する複数の空気通路を形成し、この空気通路を各々でその口径を変えたことを特徴とするスプレーガン。
【請求項２】
本体部の下方に引金が下がっており、溶液噴射ノズルに出入りするスプールが引金に連動しており、引金の引きでスプールが溶液噴射ノズルを閉ざした状態から開ける状態に変化させる請求項１に記載のスプレーガン。
【請求項３】
空気流路の終端付近にニードルが出入りして通過する空気量を調整する調整孔が設けられており、溶液噴射ノズルから溶液が噴射されるとき、ニードルが後退していて調整孔を空気が通過していると、高圧空気噴射ノズルの前方、かつ、外方に設置された第二噴射ノズルから高圧空気を噴射して溶液噴射ノズルから噴射される溶液の断面形状（パターン）を円形から偏平にする請求項１又は２のスプレーガン。
【請求項４】
溶液が塗料である請求項１〜３いずれかのスプレーガン。
【請求項５】
噴射孔の口径を二種類とし、それぞれを交互に、かつ、同芯、等分に配した請求項１〜４いずれかのスプレーガン。
【発明の詳細な説明】
【技術分野】
【０００１】
本発明は、塗装作業等に使用されるスプレーガンに関するものである。
【背景技術】
【０００２】
塗装等において、塗料をスプレーガンに取り付けた塗料ポットに溜め、スプレーガンの引金の開動作用によって塗料を霧状化して噴射することはよく知られている（特許文献１及び２）。この原理は霧吹きと同じで、高速、かつ、高圧空気の負圧で塗料を吸引してこれを被塗装物に吹き付ける。この場合、塗料は高圧空気に触れ、その作用で細断されて微粒化されるが、この細断は細かいほど高品質の塗装となるといわれている。スプレーガンには種々の構造をしているものがあるが、噴射させる塗料をより細断させる工夫をしたものは見当たらない。なお、スプレーガンは塗料の噴射だけではなく、消毒液や肥料の撒布等、幅広く用いられている。
【先行技術文献】
【特許文献】
【０００３】
【特許文献１】実開平０３−０４３３４７号公報
【特許文献２】特開平０７−２８４６９９号公報
【発明の概要】
【発明が解決しようとする課題】
【０００４】
本発明は、塗料を吸引する高圧空気の流量、流速及び圧力を変えることで、塗料をより細断できるようにしたものである。
【課題を解決するための手段】
【０００５】
以上の課題の下、本発明は、請求項１に記載した、溶液ポットと連通して溶液が充満している溶液流路の先端に溶液噴射ノズルを形成し、その外周に円筒形をした高圧空気噴射ノズルを形成するとともに、溶液通路の傍に高圧空気を高圧空気噴射ノズルに導く空気流路を設け、高圧空気を高圧空気噴射ノズルから噴射して溶液流路の溶液を溶液噴射ノズルから吸引して噴射するスプレーガンにおいて、高圧空気噴射ノズルを形成する空気溜まりに高圧空気を供給する複数の空気通路を形成し、この空気通路を各々でその口径を変えたことを特徴とするスプレーガンを提供したものである。
【０００６】
これにおいて、本発明は、請求項２に記載した、本体部の下方に引金が下がっており、溶液噴射ノズルに出入りするスプールが引金に連動しており、引金の引きでスプールが溶液噴射ノズルを閉ざした状態から開ける状態に変化させる手段、請求項３に記載した、空気流路の終端付近にニードルが出入りして通過する空気量を調整する調整孔が設けられており、溶液噴射ノズルから溶液が噴射されるとき、ニードルが後退していて調整孔を空気が通過していると、高圧空気噴射ノズルの前方、かつ、外方に設置された第二噴射ノズルから高圧空気を噴射して溶液噴射ノズルから噴射される溶液の断面形状（パターン）を円形から偏平にする手段、請求項４に記載した、溶液が塗料である手段、請求項５に記載した、噴射孔の口径を二種類とし、それぞれを交互に、かつ、同芯、等分に配した手段を提供したものである。
【発明の効果】
【０００７】
請求項１の発明によれば、空気流路から供給される高圧空気は口径の違う空気通路を経て溶液噴射ノズルの外周に合一された円筒形の噴射ノズルから噴射し、これによって溶液ノズル内の塗料を吸引して該ノズルから溶液を噴射するものであるから、空気通路を通過する高圧空気ももそれぞれの部位で流量、流速及び圧力が違うことになり、溶液噴射ノズルから噴射された塗料を結果的により細断化し、高品質の塗装を行うことができる。
【図面の簡単な説明】
【０００８】
【図１】スプレーガンの引金を閉じた状態の断面図である。
【図２】スプレーガンの引金を開けた状態の断面図である。
【図３】スプレーガンの一部背面図である。
【図４】スプレーガンの先端部分の拡大断面図である。
【図５】ブロックの断面図である。
【図６】図５のＡ矢視図である。
【発明を実施するための形態】
【０００９】
以下、本発明の実施の形態を塗装ガンを例にとって図面を参照して説明する。図１はスプレーガンの引金を引かない状態の断面図、図２は引金を引いた状態の断面図、図３は一部背面図であるが、スプレーガン自体は既に周知のものであり、ここでは詳説は避けるが、要するに、握り柄１と本体部２とを有したガンの形をしており、本体部２の先端には口金３が設けられている。握り柄１から本体部２と口金３にかけてはコンプレッサ等で生成された高圧空気を流通させる空気流路４と溶液（ここでは塗料）を流通させる溶液流路５とが形成されている。
【００１０】
溶液流路５は本体部２の前寄りの中心に設けられており、口金３の部分で先端に溶液噴射ノズル（以下、溶液ノズルという）６が設けられている。本体部２には溶液ポット７が取り付けられるようになっており、その下部は溶液流路５に通ずるようになっている。したがって、溶液流路５には塗料が充満していることになる。溶液ノズル６にはスプール８が出入りできるようになっており、スプール８を溶液ノズル６に差し込むと溶液ノズル６は塞がり、後退させると開くようになっている。このスプール８は本体部２から下方に垂設された引金９と連動しており、引金９を引くとスプール８は後退するようになっている。また、溶液流路５の後端には、スプール８の出入り量を調整するダイアル１０が設けられている。
【００１１】
図５は溶液流路５を形成するブロック１０の断面図であるが、溶液流路５を取り囲むように円筒の壁筒１１が形成されており、外周にフランジ１２が形成されているとともに、先端が径細のテーパになり、小径の円筒部１３となっている。溶液流路５よりも外側のフランジ１２の後部１２ａには複数の空気通路１４が形成され、フランジ１２の前部１２ｂに形成されたリング状の空気溜まり１５に通じている。図４は先端部分の拡大断面図であるが、小径の円筒部１３の内部が上記した溶液ノズル６となるものであり、ここにスプール８が出入りするものである。外部は空気溜まり１５に続く第二空気溜まり１６に臨んでいるのであるが、その前壁１６ａは円筒部１３の外周近くまで張出しており（塗料のパターンを整える補助ノズル１６ｂも形成されている）、この結果、溶液ノズル６の外周に薄い円筒形をした高圧空気噴射ノズル（以下、噴射ノズルという）１７を構成していることになる。なお、このブロック１０は口金３の先からネジ込めるようになっている。
【００１２】
空気流路４は握り柄１の下端に形成された吸入孔１８から本体部２におけるスプール８に形成された開閉弁１９を介して口金３まで至っている。この開閉弁１９は引金９を引くと開通するようになっていることから、引金９を引かない限り、空気流路４に高圧空気は流れない。ただし、途中に流量調整弁２０が設けられており、その流量は下端のダイアル２１で調整できるようになっている。空気流路４の本体部２における終端付近には調整孔２２が設けられており、調整孔２２から先は口金３の外周付近に形成されたリング状の空気溜まり２３が設けられており、調整孔２２を通過した高圧空気は空気溜まり２３の１８０°対向位置に形成された内向きの第二噴射ノズル２４から噴射される。第二噴射ノズル２４から噴射される高圧空気は溶液ノズル６から噴射される塗料の断面形状（パターン）に影響し、多く噴出するほど塗料の断面形状は円形から楕円形（小判形）に変化する。このことから、第二噴射ノズル２４は溶液ノズル６より外方位置で、前方にあることがわかる。
【００１３】
調整孔２２には空気流路４中をニードル２５が出入りするようになっており、ここを通過する高圧空気の量を調整できるようになっている。なお、ニードル２５の出入り量、つまり、高圧空気の通過量は後端のダイアル２６で調整できるようになっている。調整孔２２の手前ではこれを迂回する空気経路２７が設けられており、空気経路２７は上記した空気通路１４を通って第二空気溜まり１６に続いている。したがって、引金９を引いてスプール８を後退させると高圧空気は噴射ノズル１７から噴射されるから、溶液流路５に充満している塗料を吸引して溶液ノズル６から噴射する。このとき、調整孔２２を開けて高圧空気を通過させると第二噴射ノズル２４から高圧空気が噴射して塗料の噴射パターンが変化することになる。
【００１４】
本発明は、上記した空気通路１４の口径をそれぞれで変えたものである。これにより、噴射ノズル１７から噴射される高圧空気の流量、流速及び圧力がそれぞれの空気通路１４を通るもので異なり、結果として、塗料をより細断させることになる。図６は図５のＡ矢視図であるが、本例では、空気通路１４を円周六等分し、口径の大きいもの１４ａと小さいもの１４ｂとを交互に配しているが、これは一例であって、これに限定されるものではない。
【符号の説明】
【００１５】
１    握り柄
２    本体部
３    口金
４    空気流路
５    溶液流路
６    溶液噴射ノズル
７    溶液ポット
８    スプール
９    引金
１０  ダイアル
１１  壁筒
１２  フランジ
１２ａ    〃  の後部
１２ｂ    〃  の前部
１３  円筒部
１４  空気通路
１５  空気溜まり
１６  第二空気溜まり
１６ａ    〃        の前壁
１６ｂ補助ノズル
１７  高圧空気噴射ノズル
１８  吸入孔
１９  開閉弁
２０  流量調整弁
２１  ダイアル
２２  調整孔
２３  空気溜まり
２４  第二噴射ノズル
２５  ニードル
２６  ダイアル
２７  空気経路
【図１】
2014042903.tif 000003
【図２】
2014042903.tif 000004
【図３】
2014042903.tif 000005
【図４】
2014042903.tif 000006
【図５】
2014042903.tif 000007
【図６】
2014042903.tif 000008